(57)【要約】      （修正有）【課題】出入り口そのものにも、商品を陳列可能にする。【解決手段】一側部に什器２０あるいは壁面に取り付け可能にした外フレーム１０と、商品陳列構造を有し、前記外フレームに縦軸回りに回転して表裏反転可能に保持した陳列壁１１とよりなる構成を採用した。商品陳列用扉１とそれを用いた店舗構造を提供する。【選択図】図１
2007307333.tif 000002
【特許請求の範囲】
【請求項１】
商品が陳列可能な扉であって、一側部に什器あるいは壁面に取り付け可能にした外フレームと、商品陳列構造を有し、前記外フレームに縦軸回りに回転して表裏反転可能に保持した陳列壁とよりなることを特徴とする商品陳列用扉。
【請求項２】
請求項１に記載の商品陳列用扉を使用した店舗構造であって、商品陳列用什器と、その背面に配置した商品置き机とよりなり、前記机の前の通路の入り口に相当する前記什器の一側部に、前記扉の外フレームを取り付け、当該商品陳列用扉により前記入り口を開閉自在にしてあることを特徴とする店舗構造。
【請求項３】
請求項１に記載の商品陳列用扉を使用した店舗構造であって、商品陳列用什器同士または商品陳列用什器と壁面とにより形成された通路の一端部に相当する箇所において、前記商品陳列用扉の外フレームを前記什器又は壁面のいずれか一方に取り付けて、前記通路の一端を開閉可能にしてあることを特徴とする店舗構造。
【発明の詳細な説明】
【技術分野】
【０００１】  本発明は、店舗を構成するための商品陳列用扉とそれを使用した店舗構造に関する。
【背景技術】
【０００２】店舗構造を構成するに当たり、顧客が通行する可能性の高い箇所ほど、販売実績が高くなる傾向があることから、店舗内の通路の出入り口が最も有効な場所とされていた。
しかし、この傾向からして最も重要な箇所は出入り口すのものであるが、当然このような箇所に商品を陳列できるものではない。
【発明の開示】
【発明が解決しようとする課題】
【０００３】
【０００４】本発明は、このような実情に鑑み、出入り口そのものにも、商品を陳列可能にすることを目的にした。
【課題を解決するための手段】
【０００５】本第一発明の商品陳列用扉は、この目的を達成するために、一側部に什器あるいは壁面に取り付け可能にした外フレームと、商品陳列構造を有し、前記外フレームに縦軸回りに回転して表裏反転可能に保持した陳列壁とよりなることを特徴とする構成を採用した。【０００６】第二発明は、前記第一発明の商品陳列用扉を使用した店舗構造であって、商品陳列用什器と、その背面に配置した商品置き机とよりなり、前記机の前の通路の入り口に相当する前記什器の一側部に、前記扉の外フレームを取り付け、当該商品陳列用扉により前記入り口を開閉自在にしてあることを特徴とする構成を採用した。【０００７】第三発明は、前記第一発明の商品陳列用扉を使用した店舗構造であって、商品陳列用什器同士または商品陳列用什器と壁面とにより形成された通路の一端部に相当する箇所において、前記商品陳列用扉の外フレームを前記什器又は壁面のいずれか一方に取り付けて、前記通路の一端を開閉可能にしてあることを特徴とする構成を採用した。
【発明の効果】
【０００８】前記第一発明の商品陳列用扉は、これを店舗内の通路の出入り口に配置することで、最も顧客が通行する可能性の高い箇所に商品を陳列できるようになる。
さらに、開閉の両位置で扉を固定しても、陳列壁が表裏反転できるので、いずれの場合にも陳列した商品を顧客に向けて配置することができるようになる。つまり通路を閉止した場合は、その出入り口に、通路を開いた場合は、出入り口の側部に商品を陳列できるとともに、この変更を、陳列した商品を入れ替えるような操作をまったく行わなくとも達成しえるに至ったものである。【０００９】本第二発明の店舗構造は、いわゆるスーパーのレジ付近の構造に多く使用されているものである。
レジは顧客の大小により、通常、休止、稼動を切り替えるものである。
その入り口に第一発明の商品陳列用扉を配置することにより、その開閉により休止・稼動を顧客に認識させることができるのみならず、休止時には入り口の商品が陳列され、稼動時にはその側部に商品陳列がなされることとなる。【００１０】本第三発明の店舗構造は、店舗内に什器を並べ通路を構成するような構造である。このような通路の出入り口に第一発明の商品陳列用扉を配置することで、出入りする顧客が常に陳列された商品を見ることとなる。
また、扉を開閉いずれの位置でも固定できるようにした場合は、店舗内の顧客の移動を規制することができるが、その場合にも、最も目立つ状態で商品を陳列することができる。
【発明を実施するための最良の形態】
【００１１】以下に、本発明の最良の実施形態を例示するが、本発明はこれによって限定されるものではない。
【実施例１】
【００１２】  本実施例は、レジ前通路の入り口に、商品陳列用扉を配置した例を示す。
（１）は、商品陳列用扉、（２０）は、レジ近くに商品陳列什器、（３０）は前記什器（２０）の背面に配置した商品置き机である。
前記机（３０）の前の通路（３１）の入り口（３２）に相当する前記什器（２０）の一側部に、前記扉（１）の外フレーム（１０）の一側部を兆番（１５）にて固定してある。
前記外フレーム（１０）の他の側部の下部にはキャスター（１２）が設けてある。このキャスター（１２）にはストッパー（図外）を有し、所望の位置で扉（１）の回転を停止することができるようになっている。
前記フレーム（１０）には網状の商品陳列部（１３）を有する陳列壁（１１）が回転軸（１４）を介して保持してある。
このようにして、陳列壁（１１）表裏を縦軸周りの回転いて行えるようにし、商品の入れ替えなし、に商品の陳列面を扉（１）の表裏に変更することを可能にした。
前記陳列壁（１１）と前記外フレーム（１０）とは、デテント構造により、表裏それぞれの位置で回転抵抗を与え、不測に前記陳列壁（１１）が回転しないようにしてある。
（１６）は、ケース（１６ｄ）内に収納したデテント用のボールであって、バネ（１６ｃ）により常に下方に押されており、環状蓋（１６ｂ）によりその突出が阻止されている。（１６ａ）は前記陳列壁（１１）の上部フレーム（１１ａ）に形成した受け穴であって、回転軸（１４）を中心とした左右対称の二位置に形成してある。
このようにして、表裏料いちにて回転抵抗を与えるようにしてある。
【実施例２】
【００１３】本実施例は、商品陳列用扉（１’）の別例を示し、楕円形の外フレーム（１０’）に楕円形の陳列壁（１１’）を組み込んだ例である。
また、デテントに替わりピン（１７）により、陳列壁（１１’）と外フレーム（１０’）との相対回転を解除可能に阻止してある。
前記ピン（１７）は外フレーム（１０’）の肩部（１０’ａ）に形成した貫通穴（１７ａ）を通り、陳列壁（１１’）の左右二箇所に形成した止め穴（１７ｂ）に先端を突入させることで、表裏いずれの状態でも、前記外フレーム（１０’）との相対回転を阻止するようにしてある。
回転する場合は、前記ピン（１７）を抜き出せば良い。その他の点は前記実施例１と同様なので詳しい説明を省略する。なお（１０ｂ）はキャスター（１２）を取り付けるための外フレーム（１０’）のリブである。
【実施例３】
【００１４】本実施例は、商品陳列用扉（１’’）の別例を示し、長円形の外フレーム（１０’’）に長円形の陳列壁（１１’’）を組み込んだ例である。
本実施例はキャスターを設けず、宙吊り状態で保持することを前提にしたものである。
この場合、兆番（１５’）は入り口（３２）を閉じる状態になるようにバネ（図外）を内装したものを用い、開放時は、掛け金具（図外）により、什器（２０）の側壁に固定するようにする。
その他は前記実施例２と同様なので説明を省略する。
【実施例４】
【００１５】本実施例は、外フレーム（１０’’’）を兆番（１５’）を有する側と回転軸（１４）の保持部分のみとした例である。商品陳列用扉（１’’’）は前記実施例３よりも軽量にすることができ、開閉を容易に行えるようになった。
その他の点は実施例３と同様なので詳しい説明を省略する。
【実施異例５】
【００１６】本実施例は、陳列用什器（４０）（４０）により形成した通路（４１）の出入り口（４２）に、実施例１の商品陳列用扉（１）を配置した店舗構造の例を示す。
このようにして、通路（４１）の出入り口に商品を陳列できるようにしたものである。
通路（４１）を閉じる場合は、外フレーム（１０）をはめ込み金具（５０）により回転を阻止すればよい。
金具（５０）は、外フレーム（１０）に上方から嵌まり込む部分（５２）と什器（４０）の側壁に前方から嵌まり込む部分（５１）とからなる構成を有している。
【００１７】通路（４１）内を陳列スペースとした場合は、陳列壁（１１）の陳列面を通路（４１）側に向け、通路（４５）を陳列スペースとする場合は、陳列壁（１１）は表裏反転させればよい。
また、金具（５０）を取り外しておくことで、課客の通過を許容することもできる。
なお本実施例において、前記実施例例２，３，４の扉を使用することも問題なく可能である。
この場合、金具（５０）の形状をそれぞれの外フレームに適合するようにすれば良い。
【産業上の利用可能性】
【００１８】
【図面の簡単な説明】
【図１】実施例１の通路閉止状態を示す斜視図
【図２】実施例１の商品陳列用扉の陳列壁を回転している状態を示す斜視図
【図３】実施例１のデテント構造を示す拡大縦断正面図
【図４】実施例１の通路開放状態を示す斜視図
【図５】実施例２を示す正面図
【図６】実施例２のピン止め構造を示す拡大縦断正面図
【図７】実施例３を示す正面図
【図８】実施例４を示す正面図
【図９】実施例５の店舗構造を示す斜視図
【図１０】金具を示す拡大斜視図
【符号の説明】
【００２０】（１０’’’）（１０’’）（１０’）（１０）      外フレーム
（１０’ａ）    肩部
（１０ｂ）      リブ
（１１’’）（１１’）（１１）      陳列壁
（１１ａ）      上部フレーム
（１２）        キャスター
（１３）        商品陳列部
（１４）        回転軸
（１５’）（１５）      兆番
（１６）        ボール
（１６ａ）      穴
（１６ｂ）      環状蓋
（１６ｃ）      バネ
（１６ｄ）      ケース
（１７）        ピン
（１７ａ）      貫通穴
（１７ｂ）      止め穴
（１’’）（１’）（１）      商品陳列用扉
（２０）（４０）      什器
（２０）        商品陳列什器
（３０）        商品置き机
（３１）（４１）（４５）      通路
（３２）        入り口
（４０）        陳列用什器
（４２）        出入り口
（５０）        金具
（５０）        嵌め込み金具
（５１）（５２）      嵌まり込む部分
【図１】
2007307333.tif 000003
【図２】
2007307333.tif 000004
【図３】
2007307333.tif 000005
【図４】
2007307333.tif 000006
【図５】
2007307333.tif 000007
【図６】
2007307333.tif 000008
【図９】
2007307333.tif 000009
【図１０】
2007307333.tif 000010
【手続補正書】
【提出日】平成18年10月13日(2006.10.13)
【手続補正１】
【補正対象書類名】明細書
【補正対象項目名】全文
【補正方法】変更
【補正の内容】
【発明の詳細な説明】
【技術分野】
【０００１】  本発明は、店舗を構成するための商品陳列用扉とそれを使用した店舗構造に関する。
【背景技術】
【０００２】店舗構造を構成するに当たり、顧客が通行する可能性の高い箇所ほど、販売実績が高くなる傾向があることから、店舗内の通路の出入り口が最も有効な場所とされていた。
しかし、この傾向からして最も重要な箇所は出入り口すのものであるが、当然このような箇所に商品を陳列できるものではない。
【発明の開示】
【発明が解決しようとする課題】
【０００３】
【０００４】本発明は、このような実情に鑑み、出入り口そのものにも、商品を陳列可能にすることを目的にした。
【課題を解決するための手段】
【０００５】本第一発明の商品陳列用扉は、この目的を達成するために、一側部に什器あるいは壁面に取り付け可能にした外フレームと、商品陳列構造を有し、前記外フレームに縦軸回りに回転して表裏反転可能に保持した陳列壁とよりなることを特徴とする構成を採用した。【０００６】第二発明は、前記第一発明の商品陳列用扉を使用した店舗構造であって、商品陳列用什器と、その背面に配置した商品置き机とよりなり、前記机の前の通路の入り口に相当する前記什器の一側部に、前記扉の外フレームを取り付け、当該商品陳列用扉により前記入り口を開閉自在にしてあることを特徴とする構成を採用した。【０００７】第三発明は、前記第一発明の商品陳列用扉を使用した店舗構造であって、商品陳列用什器同士または商品陳列用什器と壁面とにより形成された通路の一端部に相当する箇所において、前記商品陳列用扉の外フレームを前記什器又は壁面のいずれか一方に取り付けて、前記通路の一端を開閉可能にしてあることを特徴とする構成を採用した。
【発明の効果】
【０００８】前記第一発明の商品陳列用扉は、これを店舗内の通路の出入り口に配置することで、最も顧客が通行する可能性の高い箇所に商品を陳列できるようになる。
さらに、開閉の両位置で扉を固定しても、陳列壁が表裏反転できるので、いずれの場合にも陳列した商品を顧客に向けて配置することができるようになる。
つまり通路を閉止した場合は、その出入り口に、通路を開いた場合は、出入り口の側部に商品を陳列できるとともに、この変更を、陳列した商品を入れ替えるような操作をまったく行わなくとも達成しえるに至ったものである。【０００９】本第二発明の店舗構造は、いわゆるスーパーのレジ付近の構造に多く使用されているものである。
レジは顧客の大小により、通常、休止、稼動を切り替えるものである。
その入り口に第一発明の商品陳列用扉を配置することにより、その開閉により休止・稼動を顧客に認識させることができるのみならず、休止時には入り口の商品が陳列され、稼動時にはその側部に商品陳列がなされることとなる。【００１０】本第三発明の店舗構造は、店舗内に什器を並べ通路を構成するような構造である。このような通路の出入り口に第一発明の商品陳列用扉を配置することで、出入りする顧客が常に陳列された商品を見ることとなる。
また、扉を開閉いずれの位置でも固定できるようにした場合は、店舗内の顧客の移動を規制することができるが、その場合にも、最も目立つ状態で商品を陳列することができる。
【発明を実施するための最良の形態】
【００１１】以下に、本発明の最良の実施形態を例示するが、本発明はこれによって限定されるものではない。
【実施例１】
【００１２】  本実施例は、レジ前通路の入り口に、商品陳列用扉を配置した例を示す。
（１）は、商品陳列用扉、（２０）は、レジ近くに商品陳列什器、（３０）は前記什器（２０）の背面に配置した商品置き机である。
前記机（３０）の前の通路（３１）の入り口（３２）に相当する前記什器（２０）の一側部に、前記扉（１）の外フレーム（１０）の一側部を兆番（１５）にて固定してある。
前記外フレーム（１０）の他の側部の下部にはキャスター（１２）が設けてある。
このキャスター（１２）にはストッパー（図外）を有し、所望の位置で扉（１）の回転を停止することができるようになっている。
前記フレーム（１０）には網状の商品陳列部（１３）を有する陳列壁（１１）が回転軸（１４）を介して保持してある。
このようにして、陳列壁（１１）表裏を縦軸周りの回転いて行えるようにし、商品の入れ替えなし、に商品の陳列面を扉（１）の表裏に変更することを可能にした。
前記陳列壁（１１）と前記外フレーム（１０）とは、デテント構造により、表裏それぞれの位置で回転抵抗を与え、不測に前記陳列壁（１１）が回転しないようにしてある。
（１６）は、ケース（１６ｄ）内に収納したデテント用のボールであって、バネ（１６ｃ）により常に下方に押されており、環状蓋（１６ｂ）によりその突出が阻止されている。（１６ａ）は前記陳列壁（１１）の上部フレーム（１１ａ）に形成した受け穴であって、回転軸（１４）を中心とした左右対称の二位置に形成してある。
このようにして、表裏両位置にて回転抵抗を与えるようにしてある。
【実施例２】
【００１３】本実施例は、商品陳列用扉（１’）の別例を示し、楕円形の外フレーム（１０’）に楕円形の陳列壁（１１’）を組み込んだ例である。
また、デテントに替わりピン（１７）により、陳列壁（１１’）と外フレーム（１０’）との相対回転を解除可能に阻止してある。
前記ピン（１７）は外フレーム（１０’）の肩部（１０’ａ）に形成した貫通穴（１７ａ）を通り、陳列壁（１１’）の左右二箇所に形成した止め穴（１７ｂ）に先端を突入させることで、表裏いずれの状態でも、前記外フレーム（１０’）との相対回転を阻止するようにしてある。
回転する場合は、前記ピン（１７）を抜き出せば良い。その他の点は前記実施例１と同様なので詳しい説明を省略する。なお（１０ｂ）はキャスター（１２）を取り付けるための外フレーム（１０’）のリブである。
【実施例３】
【００１４】本実施例は、商品陳列用扉（１’’）の別例を示し、長円形の外フレーム（１０’’）に長円形の陳列壁（１１’’）を組み込んだ例である。本実施例はキャスターを設けず、宙吊り状態で保持することを前提にしたものである。
この場合、兆番（１５’）は入り口（３２）を閉じる状態になるようにバネ（図外）を内装したものを用い、開放時は、掛け金具（図外）により、什器（２０）の側壁に固定するようにする。
その他は前記実施例２と同様なので説明を省略する。
【実施例４】
【００１５】本実施例は、外フレーム（１０’’’）を兆番（１５’）を有する側と回転軸（１４）の保持部分のみとした例である。商品陳列用扉（１’’’）は前記実施例３よりも軽量にすることができ、開閉を容易に行えるようになった。
その他の点は実施例３と同様なので詳しい説明を省略する。
【実施例５】
【００１６】本実施例は、陳列用什器（４０）（４０）により形成した通路（４１）の出入り口（４２）に、実施例１の商品陳列用扉（１）を配置した店舗構造の例を示す。
このようにして、通路（４１）の出入り口に商品を陳列できるようにしたものである。
通路（４１）を閉じる場合は、外フレーム（１０）をはめ込み金具（５０）により回転を阻止すればよい。
金具（５０）は、外フレーム（１０）に上方から嵌まり込む部分（５２）と什器（４０）の側壁に前方から嵌まり込む部分（５１）とからなる構成を有している。【００１７】通路（４１）内を陳列スペースとした場合は、陳列壁（１１）の陳列面を通路（４１）側に向け、通路（４５）を陳列スペースとする場合は、陳列壁（１１）は表裏反転させればよい。
また、金具（５０）を取り外しておくことで、課客の通過を許容することもできる。
なお本実施例において、前記実施例２，３，４の扉を使用することも問題なく可能である。
この場合、金具（５０）の形状をそれぞれの外フレームに適合するようにすれば良い。
【産業上の利用可能性】
【００１８】
【補正の内容】
【図面の簡単な説明】
【００１９】
【図１】実施例１の通路閉止状態を示す斜視図
【図２】実施例１の商品陳列用扉の陳列壁を回転している状態を示す斜視図
【図３】実施例１のデテント構造を示す拡大縦断正面図
【図４】実施例１の通路開放状態を示す斜視図
【図５】実施例２を示す正面図
【図６】実施例２のピン止め構造を示す拡大縦断正面図
【図７】実施例５の店舗構造を示す斜視図
【図８】金具を示す拡大斜視図
【符号の説明】
【００２０】（１０’’’）（１０’’）（１０’）（１０）      外フレーム
（１０’ａ）      肩部
（１０ｂ）      リブ
（１１’’）（１１’）（１１）      陳列壁
（１１ａ）      上部フレーム
（１２）      キャスター
（１３）      商品陳列部
（１４）      回転軸
（１５’）（１５）      兆番
（１６）      ボール
（１６ａ）      穴
（１６ｂ）      環状蓋
（１６ｃ）      バネ
（１６ｄ）      ケース
（１７）      ピン
（１７ａ）      貫通穴
（１７ｂ）      止め穴
（１’’）（１’）（１）      商品陳列用扉
（２０）（４０）      什器
（２０）      商品陳列什器
（３０）      商品置き机
（３１）（４１）（４５）      通路
（３２）      入り口
（４０）      陳列用什器
（４２）      出入り口
（５０）      金具
（５０）      嵌め込み金具
（５１）（５２）      嵌まり込む部分
【手続補正２】
【補正対象書類名】図面
【補正対象項目名】全図
【補正方法】変更
【補正の内容】
【図１】
2007307333.tif 000011
【図２】
2007307333.tif 000012
【図３】
2007307333.tif 000013
【図４】
2007307333.tif 000014
【図５】
2007307333.tif 000015
【図６】
2007307333.tif 000016
【図７】
2007307333.tif 000017
【図８】
2007307333.tif 000018